(57)【要約】      （修正有）【課題】スケジュールや特記事項を記入できるというカレンダーにおいて、当月分と翌月分の２か月分のカレンダーを同じ大きさで一覧表示するカレンダーを提供する。【解決手段】カレンダー部２の綴じ代４ａの下に切り離し可能なミシン目４ｂを入れ、ミシン目４ｂの下に左右２箇所の懸架用穴３ａ、３ｂを設け、一方カレンダー本体１の上端に設けた止め金６は、カレンダー本体１を挟持する構造を成し、該止め金６の上方に接続して懸吊部７を設け、該止め金６の下方に接続して左右２箇所のフック用舌片５ａ、５ｂを設け、使用するときにはこのフック用舌片５ａ、５ｂを鉤状に曲げることで、当月のカレンダーを切り離し用ミシン目４ｂから切り離して、該懸架用穴３ａ、３ｂを該フック用舌片５ａ、５ｂに懸架することで、当月カレンダーをカレンダー本体の概上半分の位置１ａに表示し、翌月カレンダーをカレンダー本体の概下半分の位置１ｂに表示する。【選択図】図１
2006312300.tif 000002
【特許請求の範囲】
【請求項１】
１月カレンダーから１２月カレンダーおよび翌年１月カレンダーの１３枚を印刷して、カレンダー本体の概下半分の位置に順番に積み重ねて上端で綴じた懸吊用のカレンダーにおいて、カレンダー部の綴じ代の下に切り離し可能なミシン目を入れ、さらにミシン目の下に左右２箇所の懸架用穴を設けた構造を成し、一方カレンダー本体の上端に設けた止め金は、カレンダー本体を挟持する構造を成し、該止め金の上方に接続して懸吊部を設け、該止め金の下方に接続して左右２箇所のフック用舌片を設け、実際に使用するときにはこのフック用舌片を鉤状に曲げることで、当月のカレンダーを切り離し用ミシン目から切り離して、該懸架用穴を該フック用舌片に懸架することで、当月カレンダーをカレンダー本体の概上半分の位置に表示し、翌月カレンダーをカレンダー本体の概下半分の位置に表示することができるので、カレンダーが見やすく、スケジュールや特記事項を記入しやすくなることを特徴とするカレンダー。
【発明の詳細な説明】
【技術分野】
【０００１】  本発明は、カレンダーにスケジュールや特記事項を記入したり調べたりするときに、当月カレンダーを上側表示し、翌月カレンダーを下側に表示すると、２か月分のカレンダーを一覧で確認できるとともに、カレンダーへのスケジュールや特記事項の記入も容易であるカレンダーに関するものである。
【背景技術】
【０００２】  本発明に類似する従来の技術として、特開平１１−２６８４４６、実開平０７−０１５３５７、実録第３０６６０６６、実録第３０１７４３９では奇数月カレンダーと偶数月カレンダーを左右に並べて印刷しているが、過去となったカレンダーを切り離したときに当月カレンダーと翌月カレンダーの表示位置が左右に入れ替わる欠点がある。【０００３】  また、本発明に類似する従来の技術として、実録第３０９０１９２があるが、３ヶ月分のカレンダーを表示しなければならないので、カレンダーへの書き込みスペースを広く取るとカレンダーが大きなものになってしまう欠点がある。【０００４】  また、本発明に類似する従来の技術として、実録第３０１４６５９があるが、これは各葉の中心に当月カレンダー、その前後に前月カレンダーと翌月カレンダーが表示されている１２葉１綴りカレンダーで、当月と前後の月のカレンダーを一覧で見ることができる特徴があるが、翌月カレンダーにスケジュールなどを記入した場合に、翌月になってカレンダーをめくった時に以前の記録を該月カレンダーに書き写さなければならない欠点がある。
【発明の開示】
【発明が解決しようとする課題】
【０００５】  解決しようとする間頻点は、スケジュールや特記事項を記入できるという便利さを併せ持ったカレンダーにおいて、当月分と翌月分の２か月分のカレンダーを同じ大きさで一覧表示するとともに、当月カレンダーの表示位置と翌月カレンダーの表示位置が変わることなく毎月同じ位置に表示するとともに、翌月以降のスケジュールや特記事項を記入した該カレンダーを当該月にそのまま使用できれば便利である。
【課題を解決するための手段】
【０００６】  １月カレンダーから１２月カレンダーおよび翌年１月カレンダーの１３枚を印刷して、カレンダー本体の概下半分の位置に順番に積み重ねて上端で綴じた懸吊用のカレンダーにおいて、カレンダー部の綴じ代の下に切り離し可能なミシン目を入れ、さらにミシン目の下に左右２箇所の懸架用穴を設けた構造を成し、一方カレンダー本体の上端に設けた止め金は、カレンダー本体を挟持する構造を成し、該止め金の上方に接続して懸吊部を設け、該止め金の下方に接続して左右２箇所のフック用舌片を設け、実際に使用するときにはこのフック用舌片を鉤状に曲げることで、当月のカレンダーを切り離し用ミシン目から切り離して、該懸架用穴を該フック用舌片に懸架することで、当月カレンダーをカレンダー本体の概上半分の位置に表示し、翌月カレンダーをカレンダー本体の概下半分の位置に表示することができるので、カレンダーが見やすく、スケジュールや特記事項を記入しやすくなることで課題を解決する。
【発明の効果】
【０００７】  本発明によって当月カレンダーをカレンダー本体の概上半分の位置に表示し、翌月カレンダーをカレンダー本体の概下半分位置に表示できるので見やすく、スケジュールや特記事項を記入がしやすく、スケジュールや特記事項記入済みの翌月以降のカレンダーをそのまま当該月に使用できる。
【発明を実施するための最良の形態】
【０００８】  当月カレンダーと翌月以降のカレンダーを左右の位置に並べても使用できるが、当月カレンダーを上側に、翌月カレンダーを下側に並べて表示すればカレンダー懸吊バランスが良い。【０００９】  また、過去月のカレンダーを積み重ねてフック用舌片に懸けて残しておけば、記録保存にも便利である。
【実施例１】
【００１０】  図１は、本発明の１実施例の正面図である。【００１１】  １月カレンダー２０１から１２月カレンダー２１２および翌年１月カレンダー２１３の１３枚を印刷して、カレンダー本体１の概下半分の位置１ｂに順番に積み重ねて、上端の綴じ代４ａで固定した体裁をしており、カレンダー本体１の上端に設けた止め金６は、カレンダー本体１を挟持する構造を成し、止め金６の上方に接続して懸吊部７を設け、止め金６の下方に接続して左右２箇所のフック用舌片５ａ、５ｂを設け、実際にカレンダーを使用するときにはこのフック用舌片５ａ、５ｂを鉤状に曲げて使用する。【００１２】  毎月カレンダー全ての綴じ代４ａの下に切り離し用ミシン目４ｂを入れており、この切り離し用ミシン目４ｂの下の左右に懸架用穴３ａ、３ｂを設けている。【００１３】  図２は、当月１月表示状態正面図で、１月カレンダー２０１を切り離し用ミシン目４ｂで切り離して、該懸架用穴３ａ、３ｂを該フック用舌片５ａ、５ｂに懸架して、カレンダー本体上半分１ａの位置に当月１月カレンダー２０１を表示し、カレンダー本体下半分１ｂの位置に翌月２月カレンダー２０２が表示された正面図である。【００１４】  １月カレンダー２０１と２月カレンダー２０２が上下の位置に順番に並んで表示しているので見やすく、記入もし易い体裁になっている。【００１５】  同様に、図３は当月２月表示状態正面図である。【００１６】  同様に、図４は当月３月表示状態正面図である。【００１７】  以下当月４月表示状態から当月１１月表示状態までも同様で、図５は当月１２月表示状態正面図で、カレンダー本体上半分１ａの位置に１２月カレンダー２１２を表示し、カレンダー本体下半分１ｂの位置に翌年１月カレンダー２１３を表示する。【００１８】  図６は、本発明斜視図による説明図で、止め金６はカレンダー本体１の上端を挟持してカレンダー本体１を懸吊部７で懸吊する構造を成しており、止め金６の下方に接続して設けたフック用舌片５ａ、５ｂを鉤状に曲げた状態図であり、１月カレンダー２０１から１２月カレンダー２１２および翌年１月カレンダー２１３を順番に積み重ねて綴じ代で綴じてカレンダー本体下半分１ｂの位置に貼り付けられている。尚、翌年１月カレンダー２１３はカレンダー本体下半分の位置に直接印刷したものでも良い。
【図面の簡単な説明】
【００１９】
【図１】本発明正面図
【図２】当月１月表示状態正面図
【図３】当月２月表示状態正面図
【図４】当月３月表示状態正面図
【図５】当月１２月表示状態正面図
【図６】本発明斜視図（カレンダー内の文字記載は省略）
【符号の説明】
【００２０】１      カレンダー本体
１ａ    カレンダー本体上半分
１ｂ    カレンダー本体下半分
２      カレンダー部
２０１  １月カレンダー
２０２  ２月カレンダー
２０３  ３月カレンダー
２０４  ４月カレンダー
２０５  ５月カレンダー
２０６  ６月カレンダー
２０７  ７月カレンダー
２０８  ８月カレンダー
２０９  ９月カレンダー
２１０  １０月カレンダー
２１１  １１月カレンダー
２１２  １２月カレンダー
２１３  翌年１月カレンダー
３ａ    懸架用穴
３ｂ    懸架用穴
４ａ    綴じ代
４ｂ    切り離し用ミシン目
５ａ    フック用舌片
５ｂ    フック用舌片
６      止め金
７      懸吊部
【図１】
2006312300.tif 000003
【図２】
2006312300.tif 000004
【図３】
2006312300.tif 000005
【図４】
2006312300.tif 000006
【図５】
2006312300.tif 000007
【図６】
2006312300.tif 000008